(57)【要約】【課題】  トナー像を加熱定着させる回転可能な定着部材と加圧部材との間において、トナー像を記録媒体に加熱定着させるにあたり、トナー像と接触する定着部材の面にトナーが転移したり、記録媒体が定着部材から分離されずに定着部材に巻き付いたりするのを長期にわたって安定して防止する。【解決手段】  記録媒体Sに形成されたトナー像tと接触してトナー像を加熱定着させる回転可能な定着部材21と、この定着部材に記録媒体を加圧させる加圧部材24とを備えた定着装置において、トナー像と接触する定着部材の面に潤滑剤を塗布する潤滑剤塗布手段40として、固形潤滑剤42と、固形潤滑剤から潤滑剤を掻き取って定着部材の面に供給する潤滑剤供給部材41と、定着部材の面に供給された潤滑剤を押圧させて定着部材の表面に塗布させる押圧部材44とを設けた。【選択図】  図３
2010243989.tif 000002
【特許請求の範囲】
【請求項１】
記録媒体上に形成されたトナー像と接触してトナー像を加熱定着させる回転可能な定着部材と、この定着部材に上記の記録媒体を加圧させる加圧部材とを備えた定着装置において、トナー像と接触する定着部材の面に潤滑剤を塗布する潤滑剤塗布手段として、固形潤滑剤と、この固形潤滑剤から潤滑剤を掻き取って上記の定着部材の面に供給する潤滑剤供給部材と、定着部材の面に供給された潤滑剤を押圧させて転写搬送用ベルトの表面に塗布させる押圧部材とを設けたことを特徴とする定着装置。
【請求項２】
請求項１に記載の定着装置において、上記の潤滑剤として、定着部材の加熱温度以上の融点を有する脂肪酸金属塩を用いたことを特徴とする定着装置。
【請求項３】
請求項１又は請求項２に記載の定着装置において、上記の潤滑剤が、ステアリン酸バリウムとステアリン酸リチウムとから選択される物質であることを特徴とする定着装置。
【請求項４】
記録媒体上に形成されたトナー像を記録媒体に加熱定着させる定着装置を備えた画像形成装置において、請求項１〜３の何れか１項に記載の定着装置を用いたことを特徴とする画像形成装置。
【発明の詳細な説明】
【技術分野】
【０００１】
本発明は、複写機，プリンタ，ファクシミリ及びこれらの複合機などの画像形成装置において、記録媒体上に形成されたトナー像を記録媒体に加熱定着させる定着装置及びこの定着装置を用いた画像形成装置に関するものである。特に、記録媒体上に形成されたトナー像と接触してトナー像を加熱定着させる回転可能な定着部材と、この定着部材に上記の記録媒体を加圧させる加圧部材とを備えた定着装置において、トナー像と接触する定着部材の面にトナーが転移して、オフセットが生じたり、トナー像と接触する定着部材の面が汚れたり、また記録媒体が定着部材から分離されずに、定着部材に巻き付いたりするのを長期にわたって安定して防止できるようにした点に特徴を有するものである。
【背景技術】
【０００２】
複写機，プリンタ，ファクシミリ及びこれらの複合機などの画像形成装置においては、像担持体の表面に形成されたトナー像を記録媒体に転写させ、このようにトナー像が転写された記録媒体を定着装置に導き、この定着装置により転写されたトナー像を記録媒体に定着させることが行われている。
【０００３】
そして、このような定着装置としては、記録媒体上に形成されたトナー像と接触してトナー像を加熱定着させる回転可能な定着部材と、この定着部材に記録媒体を加圧させる加圧部材との間において、記録媒体上に形成されたトナー像を記録媒体に定着させるようにしたものが広く利用されている。
【０００４】
ここで、上記のような定着装置により、記録媒体上に形成されたトナー像を記録媒体に加熱定着させるようにした場合、トナー像と接触する定着部材の面にトナーが転移して、オフセットが生じたり、トナー像と接触する定着部材の面が汚れて記録媒体が汚れたりし、また記録媒体が定着部材から適切に分離されずに定着部材に巻き付いたりするという問題があった。
【０００５】
そして、従来においては、上記の定着部材の表面に、シリコーンオイルを塗布したり、フッ素樹脂をコーティングしたりして、定着部材の面にトナーが転移したり、記録媒体が定着部材に巻き付いたりするのを防止するようにしていた。
【０００６】
しかし、定着部材の表面に液体のシリコーンオイルを塗布して、定着部材の表面にシリコーンオイルを適切に保持させることは困難であり、また定着部材の表面に塗布されたシリコーンオイルが記録媒体に転移して、記録媒体がべたついたりするという問題があった。
【０００７】
また、定着部材の表面にフッ素樹脂をコーティングした場合においても、この定着部材を使用すると、コーティングされたフッ素樹脂が次第に摩耗して、定着部材の表面の特性が低下し、トナー像と接触する定着部材の面にトナーが転移したり、記録媒体が定着部材から適切に分離されずに、定着部材に巻き付いたりするのを長期にわたって防止することができないという問題があった。
【０００８】
ここで、従来においては、記録媒体が定着部材に巻き付くのを抑制するため、特許文献１に示されるように、上記の定着部材と加圧部材との間でトナー像が加熱定着された記録媒体に対して空気を吹き付けて、記録媒体を定着部材から分離させるようにしたものが提案されている。
【０００９】
しかし、この特許文献１に示されるものにおいては、トナー像と接触する定着部材の面にトナーが転移するのを抑制することができず、依然としてオフセットが生じたり、トナー像と接触する定着部材の面が汚れたりするという問題が存在した。
【００１０】
また、従来においては、記録媒体の端部の接触により定着部材が傷ついて、この傷部分にトナー等が付着するのを抑制するため、特許文献２に示されるように、定着部材を所定のタイミングで横方向にスライドさせるようにしたものや、特許文献３に示されるように、記録媒体を進行方向に対して傾斜させて定着部材に導くようにしたものが提案されている。
【００１１】
しかし、特許文献２，３に示されるものにおいては、トナー像と接触する定着部材の面にトナーが転移するのを抑制することができず、依然として、オフセットが生じたり、トナー像と接触する定着部材の面が汚れたりし、前記のような問題を十分に解決することができなかった。
【００１２】
さらに、従来においては、特許文献４に示されるように、トナー像と接触する定着部材の面にクリーニングプレードを当接させて、定着部材の面に付着したトナーを除去するようにしたものや、特許文献５に示されるように、トナー像と接触する定着部材の面に回転ブラシを当接させて、定着部材の面に付着したトナーを除去するようにしたものが提案されている。
【００１３】
しかし、特許文献４，５に示されるものは、トナー像と接触する定着部材の面に付着したトナーを除去するものであり、トナー像と接触する定着部材の面にトナーが転移すること自体を抑制することができず、依然として、オフセットが発生し、また記録媒体が定着部材から適切に分離されずに、定着部材に巻き付いたりするという問題も依然として存在した。
【先行技術文献】
【特許文献】
【００１４】
【特許文献１】特開２００６−１１３３４２号公報
【特許文献２】特開２００７−１４８３３６号公報
【特許文献３】特開２００４−３３１３１１号公報
【特許文献４】特開平５−２９７７５４号公報
【特許文献５】特開２００８−８３３９０号公報
【発明の開示】
【発明が解決しようとする課題】
【００１５】
本発明は、記録媒体上に形成されたトナー像と接触してトナー像を加熱定着させる回転可能な定着部材と、この定着部材に上記の記録媒体を加圧させる加圧部材との間において、記録媒体上に形成されたトナー像を記録媒体に加熱定着させるようにした定着装置における上記のような問題を解決することを課題とするものである。
【００１６】
すなわち、本発明は、上記のような定着装置において、トナー像と接触する定着部材の面にトナーが転移して、オフセットが生じたり、トナー像と接触する定着部材の面が汚れたり、また記録媒体が定着部材から分離されずに、定着部材に巻き付いたりするのを長期にわたって安定して防止できるようにすることを課題とするものである。
【課題を解決するための手段】
【００１７】
本発明においては、上記のような課題を解決するため、記録媒体上に形成されたトナー像と接触してトナー像を加熱定着させる回転可能な定着部材と、この定着部材に上記の記録媒体を加圧させる加圧部材とを備えた定着装置において、トナー像と接触する定着部材の面に潤滑剤を塗布する潤滑剤塗布手段として、固形潤滑剤と、この固形潤滑剤から潤滑剤を掻き取って上記の定着部材の面に供給する潤滑剤供給部材と、定着部材の面に供給された潤滑剤を押圧させて定着部材の表面に塗布させる押圧部材とを設けるようにした。
【００１８】
ここで、上記の潤滑剤としては、融点が定着部材の加熱温度以上の脂肪酸金属塩を用いるようにし、例えば、ステアリン酸バリウムとステアリン酸リチウムとから選択される物質を用いることが好ましい。
【００１９】
また、上記の潤滑剤供給部材としては、例えば、上記の固形潤滑剤と定着部材の面とに接触して回転する回転ブラシや発泡ローラやソリッドローラなどを用いることができるが、固形潤滑剤から潤滑剤を適切に掻き取って定着部材の面に供給させるためには、回転ブラシを用いることが好ましい。
【００２０】
また、本発明の画像形成装置においては、記録媒体上に形成されたトナー像を記録媒体に加熱定着させる定着装置として、上記のような定着装置を用いるようにした。
【発明の効果】
【００２１】
本発明の定着装置においては、固形潤滑剤と接触して回転する潤滑剤供給部材によって固形潤滑剤から掻き取った潤滑剤を、トナー像と接触する定着部材の面に供給し、このように供給された潤滑剤を押圧部材により押圧させて、トナー像と接触する定着部材の面に潤滑剤を塗布するようにしている。
【００２２】
この結果、この定着装置によって記録媒体上に形成されたトナー像を記録媒体に定着させる場合、トナー像と接触する定着部材の面に塗布された潤滑剤により、トナー像と接触する定着部材の面にトナーが転移するのが抑制され、オフセットが生じたり、トナー像と接触する定着部材の面が汚れたりするのが防止されると共に、記録媒体がこの定着部材の面から分離されやすくなり、記録媒体が定着部材に巻き付いたりするのが防止されるようになる。
【００２３】
また、この定着装置においは、上記のように固形潤滑剤から掻き取った潤滑剤を、トナー像と接触する定着部材の面に塗布させるため、定着部材の表面に液体のシリコーンオイルを塗布する従来のものに比べて、潤滑剤の塗布が簡単かつ適切に行えるようになる。
【００２４】
また、上記の潤滑剤として、融点が定着部材の加熱温度以上の脂肪酸金属塩であるステアリン酸バリウムとステアリン酸リチウムとから選択される物質を用いると、この潤滑剤が液化することなく、トナー像と接触する定着部材の面に適切に塗布された状態で維持されるようになり、上記のようにトナー像と接触する定着部材の面にトナーが転移するのが安定して抑制されると共に、記録媒体が定着部材に巻き付いたりするのも安定して防止されるようになる。
【００２５】
そして、このような定着装置を用いた本発明の画像形成装置においては、形成される画像にオフセットが生じたり、トナー像と接触する定着部材の面に付着したトナー等によって記録媒体が汚れたりするのが防止されると共に、記録媒体が定着部材に巻き付いたりするのが防止され、良好な画像形成が安定して行えるようになる。
【図面の簡単な説明】
【００２６】
【図１】本発明の一実施形態に係る画像形成装置を示した概略説明図である。
【図２】同実施形態の画像形成装置において、トナー像を中間転写体に転写させた後の感光体の表面に、第１の潤滑剤塗布手段により潤滑剤を塗布させる状態を示した概略説明図である。
【図３】同実施形態の画像形成装置において、トナー像と接触してトナー像を記録媒体に加熱定着させる定着ベルトの面に、第２の潤滑剤塗布手段により潤滑剤を塗布させる状態を示した概略説明図である。
【発明を実施するための最良の形態】
【００２７】
次に、この発明の実施形態に係る定着装置及び画像形成装置を添付図面に基づいて具体的に説明する。なお、本発明に係る定着装置及び画像形成装置は、下記の実施形態に示したものに限定されず、その要旨を変更しない範囲において適宜変更して実施できるものである。
【００２８】
この実施形態に係る画像形成装置においては、黄色，マゼンタ色，シアン色，黒色の異なった色彩のトナーを収容させた４つの現像装置１１を設けると共に、各現像装置１１からそれぞれの色彩のトナーが供給されてトナー像が形成される像担持体として、各現像装置１１に対応させてドラム状になった４つの感光体１０を設けている。
【００２９】
ここで、この画像形成装置においては、上記の各感光体１０を回転させて、各感光体１０の表面をそれぞれ帯電装置１２によって帯電させ、このように帯電された各感光体１０に対して、それぞれ潜像形成装置１３により画像データに従った露光を行い、各感光体１０の表面にそれぞれ画像データに従った静電潜像を形成するようにしている。
【００３０】
そして、このように静電潜像が形成された各感光体１０に対して、それぞれ対応する各現像装置１１からそれぞれの色彩のトナーを供給して、各感光体１０の表面にそれぞれの色彩のトナー像を形成するようにしている。
【００３１】
次いで、上記の各感光体１０に形成されたそれぞれの色彩のトナー像を、ローラ１４に架け渡されて駆動される無端ベルト状になった中間転写体１５に、それぞれローラ状になった一次転写装置１６により順々に一次転写させて、この中間転写体１５の上にフルカラーのトナー像を形成するようにしている。
【００３２】
そして、このように中間転写体１５にトナー像を転写させた後の各感光体１０の表面に、第１の潤滑剤塗布手段３０によって潤滑剤を塗布すると共に各感光体１０の表面に残留しているトナー等の残留物を除去し、その後、各感光体１０の表面を除電装置１７により除電させ、このように除電された各感光体１０の表面を上記のように帯電装置１２によって再度帯電させるようにしている。
【００３３】
また、上記のようにして中間転写体１５の上に形成されたフルカラーのトナー像を、この中間転写体１５によりローラ状になった二次転写装置１８と対向する位置に導くと共に、この画像形成装置に収容されたシート状の記録媒体Ｓを中間転写体１５と二次転写装置１８との間に導き、この記録媒体Ｓの上に、上記の二次転写装置１８により中間転写体１５の上に形成されたフルカラーのトナー像を二次転写させるようにしている。
【００３４】
その後、フルカラーのトナー像が転写された記録媒体Ｓを定着装置２０に導いて、転写されたフルカラーのトナー像を記録媒体Ｓに定着させた後、このようにフルカラーのトナー像が定着された記録媒体Ｓを排紙させるようにしている。
【００３５】
ここで、上記の第１の潤滑剤塗布手段３０においては、図２に示すように、転写後の感光体１０の表面に接触して回転する回転ブラシ３１からなる潤滑剤供給部材に固形潤滑剤３２を押圧させ、この回転ブラシ３１により固形潤滑剤３２から潤滑剤を掻き取るようにしている。
【００３６】
そして、このように掻き取った潤滑剤を回転ブラシ３１から転写後の感光体１０の表面に供給し、このように潤滑剤が供給された感光体１０の表面にクリーニング部材を兼ねた押圧部材３３を押圧させ、この押圧部材３３により、供給された潤滑剤を感光体１０の表面に塗布させると共に、転写後の感光体１０の表面に残留しているトナー等の残留物を除去するようにしている。
【００３７】
ここで、このように感光体１０の表面に潤滑剤を塗布させると、感光体１０における転写性能が向上されて、感光体１０の表面に形成されたトナー像が中間転写体１５に適切に転写されるようになる。また、感光体１０と上記のクリーニング部材を兼ねた押圧部材３３との間の摩擦力も軽減されて、感光体１０や押圧部材３３における摩耗が抑制され、感光体１０の表面に潤滑剤が安定して塗布されるようになると共に、転写後の感光体１０の表面に残留しているトナー等の残留物が安定して除去されるようになる。
【００３８】
また、この実施形態における上記の定着装置２０においては、図３に示すように、記録媒体Ｓ上に形成されたトナー像と接触してトナー像を加熱定着させる回転可能な定着部材に定着ベルト２１を用い、この定着ベルト２１を、内部に加熱装置２２ａが設けられた加熱用ローラ２２と、この定着ベルト２１を記録媒体Ｓに押し付ける押圧用ローラ２３とに架け渡している。
【００３９】
また、上記の定着装置２０においては、上記の定着用ベルト２１に記録媒体Ｓを加圧させる加圧部材に、内部に加熱装置２４ａが設けられた加圧ローラ２４を用いるようにしている。
【００４０】
そして、加熱装置２２ａが設けられた加熱用ローラ２２により定着ベルト２１を加熱させ、この定着ベルト２１の温度を第１センサ２５により検知して、定着ベルト２１を所定の温度に加熱させると共に、上記の加熱装置２４ａが設けられた加圧ローラ２４の温度を第２センサ２６により検知して、加圧ローラ２４を所定の温度に加熱させるようにしている。
【００４１】
そして、図３に示すように、トナー像ｔが形成された記録媒体Ｓの面が上記の定着ベルト２１と接触するようにして、この記録媒体Ｓを定着ベルト２１と上記の加圧ローラ２４との間に導き、上記の加圧ローラ２４によりトナー像ｔが形成された記録媒体Ｓの面を上記の押圧用ローラ２３に架け渡された定着ベルト２１に押圧させるようにしている。そして、この加圧ローラ２４や押圧用ローラ２３を回転させて、定着ベルト２１を回転駆動させ、記録媒体Ｓを加圧ローラ２４と定着ベルト２１との間で押圧させた状態で、この定着ベルト２１を記録媒体Ｓの移動方向と同方向に移動させ、記録媒体Ｓに形成されたトナー像ｔを記録媒体Ｓに加熱定着させるようにしている。
【００４２】
また、この実施形態における定着装置２０においては、定着ベルト２１を介して上記の加熱用ローラ２２と対向する位置において、第２の潤滑剤塗布手段４０により、トナー像ｔと接触する定着ベルト２１の面に潤滑剤を塗布させると共に、この定着ベルト２１の面に付着したトナー等の付着物を除去するようにしている。
【００４３】
ここで、この第２の潤滑剤塗布手段４０においては、図３に示すように、上記の定着ベルト２１の面に接触して回転する回転ブラシ４１からなる潤滑剤供給部材に、バネ部材４２によって固形潤滑剤４３を押圧させ、この回転ブラシ４１により固形潤滑剤４２から潤滑剤を掻き取るようにしている。
【００４４】
そして、このように掻き取った潤滑剤を回転ブラシ４１から上記の定着ベルト２１の面に供給し、このように潤滑剤が供給された定着ベルト２１の面にクリーニング部材を兼ねた押圧部材４４を押圧させて、供給された潤滑剤を定着ベルト２１の面に塗布させると共に、この定着ベルト２１の面に付着しているトナー等の付着物を除去するようにしている。
【００４５】
また、上記のように回転ブラシ４１を定着ベルト２１の面に接触して回転させ、定着ベルト２１の面に潤滑剤を供給する際に、この回転ブラシ４１に付着したトナー等を除去部材４５によって回転ブラシ４１から除去するようにしている。
【００４６】
このように、記録媒体Ｓ上に形成されたトナー像と接触する定着ベルト２１の面に潤滑剤を塗布すると、記録媒体Ｓ上に形成されたトナー像ｔをこの定着装置２０によって記録媒体Ｓに定着させる場合、トナー像ｔと接触する定着ベルト２１の面に塗布された潤滑剤により、トナー像ｔがこの定着ベルト２１の面に転移するのが抑制され、オフセットが生じたり、トナー像ｔと接触する定着ベルト２１の面が汚れたりするのを防止されると共に、記録媒体Ｓがこの定着ベルト２１の面から分離されやすくなり、記録媒体Ｓが定着ベルト２１に巻き付いたりするのが防止される
【００４７】
ここで、定着ベルト２１の面に塗布させる潤滑剤としては、上記のように加熱用ローラ２２によって加熱された定着ベルト２１の面に供給された潤滑剤が溶融して上記の押圧部材４４によって除去されることなく、定着ベルト２１の面に適切に塗布されて維持されるようするため、融点が定着ベルト２１の加熱温度以上のものを用いることが好ましい。なお、上記のようにして記録媒体Ｓ上に形成されたトナー像ｔを加熱定着させるにあたっては、定着ベルト２１を加熱させる温度が通常１５０〜２００℃程度であるため、上記の潤滑剤としては、融点が２００℃以上のものを用いることが好ましい。
【００４８】
また、記録媒体Ｓ上に形成されたトナー像ｔが定着ベルト２１の面に転移したり、記録媒体Ｓがこの定着ベルト２１の面に巻き付いたりするのを防止すると共に、定着ベルト２１の面に付着したトナー等の付着物が適切に除去されるようにするためには、上記のように潤滑剤を塗布させた定着ベルト２１の面における離型性が高く、かつ摩擦係数が低くなるようにすることが好ましい。
【００４９】
次に、上記のように記録媒体Ｓ上に形成されたトナー像ｔと接触する定着ベルト２１の面に塗布させる潤滑剤の種類について検討する。
【００５０】
ここで、潤滑剤として一般に使用されている各脂肪酸金属塩の融点を下記の表１に示すと共に、これらの脂肪酸金属塩を定着ベルトの表面に塗布し、これらの脂肪酸金属塩が塗布された定着ベルトの表面における純水接触角及び摩擦係数を測定し、また参考例として、定着ベルトの表面にパーフルオロアルコキシ（ＰＦＡ）からなるフッ素樹脂をコーティングさせた定着ベルトの表面の純水接触角及び摩擦係数を測定し、これらの結果を下記の表１に示した。
【００５１】
ここで、上記の純水接触角は、定着ベルトの表面における離型性に関係し、純水接触角が大きくなるほど離型性が高くなる。
【００５２】
また、摩擦係数については、新東科学株式会社製のポータブル摩擦計（ミューズ９４ｉ−ＩＩ）を用い、スライダ一部分にネル布を貼り付けたものを使用して測定した。
【００５３】
【表１】
2010243989.tif 000003
【００５４】
この結果、融点が２００℃以上であり、定着ベルトの表面の塗布した場合において、純水接触角が大きくなって高い離型性が得られると共に、摩擦係数も低くなるという点から、上記の潤滑剤としては、ステアリン酸バリウムやステアリン酸リチウムを用いることが好ましいということが分かった。
【００５５】
また、潤滑剤としてステアリン酸バリウムやステアリン酸リチウムを定着ベルトの表面に塗布させた場合、定着ベルトの表面にパーフルオロアルコキシ（ＰＦＡ）からなるフッ素樹脂をコーティングさせたものと、同程度の離型性や摩擦抵抗を示している。このため、上記の定着ベルトとして、その表面にフッ素樹脂をコーティングしていないものを用いることも可能になり、コストが低減されると共に、定着ベルトの表面にフッ素樹脂をコーティングした場合のように、コーティングされたフッ素樹脂が次第に摩耗して、離型性や摩擦抵抗等の特性が低下するということもなくなる。なお、表面にフッ素樹脂をコーティングした定着ベルトに対して上記の潤滑剤を塗布させ、コーティングされたフッ素樹脂が摩耗するのを防止させるようにしてもよい。
【００５６】
ここで、上記の実施形態において、定着ベルト２１としては、例えば、ポリイミド等の耐熱性樹脂で構成されたベルト基材の外周面にシリコーンゴム等のゴム層を形成し、このゴム層の上にパーフルオロアルコキシ（ＰＦＡ）等のフッ素樹脂をコーティングさせたものを用いることができる。
【００５７】
また、上記の加熱用ローラ２２としては、例えば、アルミニウム合金等の熱伝導性材料からなる金属ローラの外周面に、パーフルオロアルコキシ（ＰＦＡ）等のフッ素樹脂をコーティングさせたものを用いることができる。
【００５８】
また、上記の押圧用ローラ２３としては、例えば、機械構造用炭素鋼管等の金属ローラの外周面にシリコーンゴム層を設け、このシリコーンゴム層の上に発泡層などの柔軟な被覆層を設けたものを用いることができる。
【００５９】
また、上記の加熱用ローラ２２や加圧ローラ２４の内部に設ける加熱装置２２ａ，２４ａとしては、例えば、ハロゲンランプ、カーボンヒータ、キセノンランプ等を用いることができる。
【００６０】
なお、この実施形態においては、記録媒体Ｓ上に形成されたトナー像ｔと接触してトナー像を加熱定着させる回転可能な定着部材に、上記のような定着ベルト２１を用いるようにしたが、定着部材はこのような定着ベルト２１に限定されるものではない。例えば、定着部材として、図示していないが、内部に加熱装置が設けられた加熱定着ローラを用い、この加熱定着ローラの外周面を記録媒体Ｓ上に形成されたトナー像ｔと接触させるようにすると共に、この加熱定着ローラの外周面に上記の第２の潤滑剤塗布手段４０により上記のような潤滑剤を塗布させるようにすることも可能である。
【符号の説明】
【００６１】
１０  感光体（像担持体）
１１  現像装置
１２  帯電装置
１３  潜像形成装置
１４  ローラ
１５  中間転写体
１６  一次転写装置
１７  除電装置
１８  二次転写装置
２０  定着装置
２１  定着ベルト（定着部材）
２２  加熱用ローラ
２２ａ  加熱装置
２３  押圧用ローラ
２４  加圧ローラ（加圧部材）
２４ａ  加熱装置
２５  第１センサ
２６  第２センサ
３０  第１の潤滑剤塗布手段
３１  回転ブラシ（潤滑剤供給部材）
３２  固形潤滑剤
３３  押圧部材
４０  第２の潤滑剤塗布手段
４１  回転ブラシ（潤滑剤供給部材）
４２  固形潤滑剤
４３  バネ部材
４４  押圧部材
４５  除去部材
Ｓ  記録媒体
ｔ  トナー像
【図１】
2010243989.tif 000004
【図２】
2010243989.tif 000005
【図３】
2010243989.tif 000006